(57)【特許請求の範囲】
【請求項１】
カード用コネクタにおいて、
接触子と、
前記接触子が配列されるハウジングと、
前記接触子を内部に配したカード収容空間の少なくとも上部を形成する金属カバーと、
カード挿抜口を通じて前記カード収容空間にカードが挿入されたときに前記カードと接触してカード挿入により変位され得る第１端子と、
前記第１端子と非接触で配置され、前記第１端子がカード挿入方向に変位したときに前記第１端子の接触部と接触することにより前記第１端子と導通され得る第２接触部を有する第２端子と、を有し、
前記第１端子と前記第２端子の導通の有無により前記カード収容空間における前記カードの挿抜を検知するものであって、
前記金属カバーが前記カード収容空間の底部に向かって変位したときに、前記第１端子と前記第２端子のいずれか一方の端子は他方の端子よりも前記金属カバーに近接した部分を有するため前記金属カバーと接触し得るが、前記他方の端子は前記金属カバーと接触しないことを特徴とするカード検出スイッチを有するカード用コネクタ。
【請求項２】
前記カード収容空間の底部は、前記ハウジング、又は、前記カード用コネクタが載置された基板によって形成されている請求項１に記載のカード用コネクタ。
【請求項３】
前記金属カバーと接触した前記第一方の端子が更に前記金属カバーによって前記カード収容空間の底部に向かって変位したときに、前記一方の端子が前記金属カバーと前記カード収容空間の底部との間で突っ張るように、前記ハウジング、又は、前記カード用コネクタを載置する基板の少なくとも一部部位に上方に突出した部分を設けている請求項２に記載のカード用コネクタ。
【請求項４】
前記金属カバーが前記カード収容空間の底部に向かって変位したときに、前記一方の端子が前記他方の端子よりも先に前記金属カバーと接触し得るように、前記金属カバーと接触し得る前記一方の端子の少なくとも一部部位に上方に突出した部分を設け、又は、前記金属カバーと接触した前記第一方の端子が更に前記金属カバーによって前記カード収容空間の底部に向かって変位したときに、前記一方の端子が前記金属カバーと前記カード収容空間の底部との間で突っ張るように、前記カード収容空間と接触し得る前記一方の端子の少なくとも一部部位に前記カード収容空間の底部に向かって突出した部分を設け、又は、それらの双方を設けている請求項１乃至３のいずれかに記載のカード用コネクタ。
【請求項５】
前記金属カバーが前記カード収容空間の底部に向かって変位したときに、前記一方の端子が前記他方の端子よりも先に前記金属カバーと接触し得るように、前記一方の端子と接触し得る前記金属カバーの少なくとも一部部位に前記カード収容空間の底部に向かって突出した部分を設けている請求項１乃至４のいずれかに記載のカード用コネクタ。
【請求項６】
前記一方の端子及び前記他方の端子は、それらの上部全体を前記金属カバーによって覆われている請求項１乃至５のいずれかに記載のカード用コネクタ。
【請求項７】
前記他方の端子の少なくとも一部が前記金属カバーによって覆われていない請求項１乃至５のいずれかに記載のカード用コネクタ。
【請求項８】
前記第１端子と前記第２端子は、前記カード挿入方向と交差する方向において左右の各側から片持ち梁状に延びる２本の板バネとして形成されている請求項１乃至７のいずれかに記載のカード用コネクタ。
【請求項９】
前記第１端子の前記接触部は、前記片持ち梁部分の中間付近に設けられ、前記第２端子の前記第２接触部は、前記片持ち梁部分の先端付近に設けられている請求項８に記載のカード用コネクタ。
【請求項１０】
前記一方の端子が前記カードと接触し得る部位が、前記カード挿入方向における前記接触子の変位方向と同方向に延長されている請求項１乃至９のいずれかに記載のカード用コネクタ。
【請求項１１】
前記一方の端子と前記金属カバーは電気的に接続されている請求項１乃至１０のいずれかに記載のカード用コネクタ。
【発明の詳細な説明】
【技術分野】
【０００１】
本発明は、カード用コネクタ、特に、カード検出スイッチを有したカード用コネクタに関する。
【背景技術】
【０００２】
カード無し状態で作動してしまうこと（誤作動）を防止するため、カード用コネクタにカードの挿抜を検知できるカード検出スイッチを設けることがある。特開２００５−１００８３６号公報に、カード検出スイッチを有するカード用コネクタの一例が示されている。このカード用コネクタは、カード挿抜口を通じてカード収容空間にカードが挿入されたときに、カードと接触してカード挿入方向に変位され得る第１検知端子と、この第１検知端子と非接触であるが近接して配置され、第１検知端子がカード挿入方向に変位したときに初めて第１検知端子と接触することによって第１検知端子と導通され得る第２接触部とを有し、これら第１検知端子と第２端子の導通の有無によりカード収容空間におけるカード１１の挿抜を検知するものである。
【０００３】
しかしながら、この種のカード検出スイッチでは、第１検知端子や第２端子と金属製カバーとの絶縁距離が近いと、カードを操作する際にカバー天面が押され、第１検知端子と第２端子がカバーを介して短絡し、この結果、スイッチがＯＮ状態となって、カードの挿抜を誤って検知してしまう危険がある。近年、携帯電話等、カード用コネクタを使用する機器の小型化が進んでいるが、これに伴い、カード用コネクタにも小型低背化が求められ、この結果、スイッチが誤作動する危険がますます高くなっている。
【０００４】
【特許文献１】特開２００５−１００８３６号公報
【発明の開示】
【発明が解決しようとする課題】
【０００５】
本願発明はこれら従来技術における問題点を解決するためになされたものであり、金属カバーが押圧され変形された場合であっても、カードの挿抜を検知するスイッチに誤作動（短絡）を生じさせない、カード検出スイッチを有するカード用コネクタを提供することを目的とする。
【課題を解決するための手段】
【０００６】
本発明は、接触子と、前記接触子が配列されるハウジングと、前記接触子を内部に配したカード収容空間の少なくとも上部を形成する金属カバーと、カード挿抜口を通じて前記カード収容空間にカードが挿入されたときに前記カードと接触してカード挿入により変位され得る第１端子と、前記第１端子と非接触で配置され、前記第１端子がカード挿入方向に変位したときに前記第１端子の接触部と接触することにより前記第１端子と導通され得る第２接触部を有する第２端子と、を有し、前記第１端子と前記第２端子の導通の有無により前記カード収容空間における前記カードの挿抜を検知するものであって、前記金属カバーが前記カード収容空間の底部に向かって変位したときに、前記第１端子と前記第２端子のいずれか一方の端子は他方の端子よりも前記金属カバーに近接した部分を有するため前記金属カバーと接触し得るが、他方の端子は前記金属カバーと接触しないカード検出スイッチを有するカード用コネクタを特徴としている。
【０００７】
上記カード用コネクタにおいて、前記カード収容空間の底部は、前記ハウジング、又は、前記カード用コネクタ１が載置された基板によって形成されていてもよい。
【０００８】
また、上記カード用コネクタにおいて、前記金属カバーと接触した前記第一方の端子が更に前記金属カバーによって前記カード収容空間の底部に向かって変位したときに、前記一方の端子が前記金属カバーと前記カード収容空間の底部との間で突っ張るように、前記ハウジング、又は、前記カード用コネクタを載置する基板の少なくとも一部部位に上方に突出した部分を設けてもよい。
【０００９】
更にまた、上記カード用コネクタにおいて、前記金属カバーが前記カード収容空間の底部に向かって変位したときに、前記一方の端子が前記他方の端子よりも先に前記金属カバーと接触し得るように、前記金属カバーと接触し得る前記一方の端子の少なくとも一部部位に上方に突出した部分を設け、又は、前記金属カバーと接触した前記第一方の端子が更に前記金属カバーによって前記カード収容空間の底部に向かって変位したときに、前記一方の端子が前記金属カバーと前記カード収容空間の底部との間で突っ張るように、前記カード収容空間と接触し得る前記一方の端子の少なくとも一部部位に前記カード収容空間の底部に向かって突出した部分を設け、又は、それらの双方を設けてもよい。
【００１０】
更に、上記カード用コネクタにおいて、前記金属カバーが前記カード収容空間の底部に向かって変位したときに、前記一方の端子が前記他方の端子よりも先に前記金属カバーと接触し得るように、前記一方の端子と接触し得る前記金属カバーの少なくとも一部部位に前記カード収容空間の底部に向かって突出した部分を設けてもよい。
【００１１】
更に、上記カード用コネクタにおいて、前記一方の端子及び前記他方の端子は、それらの上部全体を前記金属カバーによって覆われていてもよいし、前記他方の端子の少なくとも一部が前記金属カバーによって覆われていなくてもよい。
【００１２】
また、上記カード用コネクタにおいて、前記第１端子と前記第２端子は、前記カード挿入方向と交差する方向において左右の各側から片持ち梁状に延びる２本の板バネとして形成されていてもよい。
【００１３】
また、上記カード用コネクタにおいて、前記第１端子の前記接触部は、前記片持ち梁部分の中間付近に設けられ、前記第２端子の前記第２接触部は、前記片持ち梁部分の先端付近に設けられていてもよい。
【００１４】
また、上記カード用コネクタにおいて、前記一方の端子が前記カードと接触し得る部位が、前記カード挿入方向における前記接触子の変位方向と同方向に延長されていてもよい。
【００１５】
また、上記カード用コネクタにおいて、前記一方の端子と前記金属カバーは電気的に接続されていてもよい。
【発明を実施するための最良の形態】
【００１６】
以下、添付図面を参照しつつ、本発明の好適な実施形態によるカード用コネクタについて説明する。
【００１７】
図１乃至図４に、本発明の一つの実施形態によるカード用コネクタを示している。図１は、カード用コネクタ１０の外観斜視図、図２、図３は、その分解斜視図、図４は、その背面図である。
【００１８】
このカード用コネクタ１０は、主に、ハウジング（絶縁座）２０と、このハウジング２０に配列された複数の接触子２３と、これら複数の接触子２３を内部に配したカード収容空間２９をハウジング２０とともに構成する金属カバー６０と、更に、カード１１（図６、図７に示されている）の挿抜を検知するための検知スイッチ（第１検知端子２１、第２検知端子２２）とから成る。カード１１は、カード収容空間２９の一つの側面に設けたカード挿抜口３０を通じて、図示矢印「ア」方向（カード挿入方向）にてカード収容空間２９内に自由に挿抜され、カードの挿入がカード収容空間２９内の所定位置に達したときに検知スイッチ（第１検知端子２１、第２検知端子２２）によってカードの挿入が検知され得る。
【００１９】
金属カバー６０は、一枚の薄い金属板を打抜き折り曲げることによって形成できる。カード用コネクタ１０の組み立て時には、ハウジング２０の上部、左右の各側面、及び底部の一部を覆う。図１等に示す実施形態のように、検知スイッチ（第１検知端子２１、第２検知端子２２）を含めたカード収容空間２９の上部全体を覆っている場合には、ゴミの汚染や外力の破壊から、カード用コネクタ１０をより効果的に保護できるという利点がある。ハウジング２０の上部は開放されているため、金属カバー６０で覆うことにより、カード収容空間上部の少なくとも一部は金属カバー６０によって形成されることになる。金属カバー６０のカード挿抜口３０側の上部は、カード１１の挿抜を容易にするため、一部６８が曲面形状を用いて切り欠かれている。この切り欠き６８の一方の側部には、カード収容空間２９に挿入されたカード１１の抜け落ちを防止するカード押片６３が、上面の一部をカード収容空間２９の底部に向かって多少変位させることによって形成されている。また、上面の一部を下側に折り曲げることにより、金属カバー６０をハウジング２０に固定する際にハウジング２０の対応部分（係止穴３４）に圧入され得る圧入突起６４も形成してある。更に、金属カバー６０の両側面には、ハウジング２０の対応部分（係止突部３３）が係止され得る係止穴６５が形成されている（但し、図面上は一方の側面に設けた係止穴６５しか現れていない）。
【００２０】
ハウジング２０は、カード挿抜口３０側に設けた端子配列部３７と、この端子配列部３７の左右各側において、カード挿入方向にカード挿抜口３０からその対向側に延びる第１アーム３５及び第２アーム３６と、これら第１アーム３５及び第２アーム３６と交差する方向に延び且つこれら第１アーム３５及び第２アーム３６をカード挿抜口３０の対向側において接続する繋ぎ部３８から成る。カード収容空間２９の底部は、ハウジング２０によって形成されていてもよいし、或いは、図３によく示されているように、例えば、繋ぎ部３８の一部６９を第１検知端子の移動に沿って除去する等して、カード用コネクタ１０が載置された基板（図示されていない）によって形成されていてもよい。
【００２１】
端子配列部３７には、接触子２３が一体成形で組み込まれる。端子配列部３７により、複数の接触子２３がカード挿入方向に沿って並列に配列される。各接触子２３は、カード用コネクタ１０が載置された基板に固定される固定部２５をその一端に有し、カード挿抜口３０を通じて挿入されたカード１１のパッド部（図示されていない）と接触され得る接触部２４を他端に有する。接触子２３はカード収容空間２９内に、カード挿入方向において多少上方に変位させた状態で設けてある。この結果、カード挿抜口３０を通じて挿入されたカードは、所定の接圧で接触部２４と接触されることになる。
【００２２】
第１アーム３５及び第２アーム３６の各側面には、金属カバー６０の係止穴６５と係合させて金属カバー６０をハウジング２０に固定する複数の係止突部３３が設けてある。また、第１アーム３５より幅広に形成された第２アーム３６の上部には、金属カバー６０の圧入突起６４を圧入して金属カバー６０をハウジング２０に固定する係止穴３４が設けてある。金属カバー６０をハウジング２０の上方から覆い被せることにより、これらの固定手段を通じて、金属カバー６０とハウジング２０を固定できる。
【００２３】
検知スイッチは繋ぎ部３８に配置される。検知スイッチは、主に、第１検知端子２１、第２検知端子２２から成る。第１検知端子２１及び第２検知端子２２共に、カード収容空間２９において、カード挿抜口３０の対向側に配置されており、また、接触子２３と同様に、ハウジング２０と一体成形されている。特に、第１検知端子２１は、検知端子としての機能に加え、更に、金属カバー６０と同一の回路、例えばグランド回路に接続して電気的に共通とすることもできる。第１検知端子２１、第２検知端子２２は、それぞれ、カード挿入方向と交差する方向において、左右の各側から片持ち梁状に弾性変位可能な状態で支持されて、カード挿入方向に板面を対面させる板バネとして形成されており、第１検知端子２１の中間付近に設けた接触部２６と、第２検知端子２２の先端付近に設けた対応接触部２７の接触を通じて、互いに導通され得る。これら接触部２６、対応接触部２７は、カード収容空間２９へのカード挿入前は互いに非接触の状態で、カード挿入方向に対向して近接配置されている。尚、図示の例では、接触部２６を対応接触部２７よりもカード挿入方向においてカード挿抜口３０から近い側に配置しているが、これとは逆に、遠い側に配置してもよい。第１検知端子２１と第２検知端子２２の接触が確実になされるように、例えば、第１検知端子２１の対応接触部２６を第２検知端子２２側に打ち出しておくのが好ましい。
【００２４】
第１検知端子２１がカード１１と最初に接触し得る部位、図示の例では、第１検知端子２１の先端付近であるが、この先端付近には、カード挿入方向における接触子２３の変位方向（上方向）と同方向に延長させることによって上方延長部２８が設けてある。既述のように、接触子２３はカード挿入方向において多少上方に変位された状態で設けられているが、この結果、カード挿抜口３０を通じて挿入されたカードは接触子２３の働きにより上方へと押し上げられながら接触子２３と接触されることになる。接触子２３によるカードの上方への位置ずれに対応して上方延長部２８を設けることにより、第１検知端子２１とカード１１の接触を確実にすることができる。尚、この上方延長部２８に対応して、金属カバー６０の上面には衝突防止用の穴６２が設けてある。
【００２５】
図５、図６を参照して、第１検知端子２１と第２検知端子２２の働きを説明する。図５は、図３に対応する図であって、カード収容空間２９にカード１１が挿入される前のカード用コネクタ１０の内部状態を上面図で示したもの、図６は、カード収容空間２９にカード１１が挿入されたときの内部状態を上面図で示したものである。
【００２６】
カード１１がカード挿抜口３０を通じてカード収容空間２９に挿入されると、カード１１は第１検知端子２１と接触し、第１検知端子２１はカード挿入方向に変位される。この結果、第１検知端子２１と第２検知端子２２は、それらの接触部２６及び対応接触部２７を介して、互いに接触し導通される。図面上明らかではないが、第１検知端子２１と第２検知端子２２は、それぞれの一部である固定部４１、４２において、カード用コネクタ１０が載置された基板を通じて互いに電気的に接続されている。従って、カード１１がカード収容空間２９に挿入される前も、第１検知端子２１、第２検知端子２２は、カード用コネクタ１０が載置された基板を通じて互いに接続されているが、カード１１がカード収容空間２９に挿入されることにより、接触部２６と対応接触部２７が接触し、第１検知端子２１と第２検知端子２２が導通されることになる。この導通状態の有無により、カード収容空間２９におけるカードの挿抜を検知できる。尚、グランド回路に接続可能な第１検知端子２１は、同様にグランドとしても機能する金属カバー６０と導通しても何ら問題はなく、故に、第１検知端子２１と金属カバー６０の接触は許される。別言すれば、第１検知端子２１と金属カバー６０は電気的に接続されていてもよい。一方、信号端子としてのみ機能する第２検知端子２２は、金属カバー６０と接触してしまうと、金属カバー６０を通じて第１検知端子２１と第２検知端子２２とが短絡された状態となり、この場合は、カードの挿抜とは無関係に第１検知端子２１と第２検知端子２２が導通されることになる、つまり、カード収容空間２９にカードが挿入されているとの誤った検知結果が出されてしまう。故に、いかなる場合も、第２検知端子２２と金属カバー６０との接触は避ける必要がある。
【００２７】
ユーザの誤った操作等によって、金属カバー６０が上方から力を受けることがある。所定以上の力を受けると、金属カバー６０はカード収容空間２９の底部に向かって変位し、この結果、第２検知端子２２と金属カバー６０は接触してしまう。特に、本願発明のような低背型の薄型コネクタでは、金属カバー６０と第２検知端子２２（第１検知端子２１）の絶縁距離が短いため、このような危険が大きい。第２検知端子２２と金属カバー６０の接触を防止するため、本発明では第１検知端子２１を利用する。即ち、金属カバー６０がカード収容空間２９の底部に向かう力を受けて変位した場合であっても、第１検知端子２１を第２検知端子２２よりも先に金属カバー６０と接触させることによって、また、この接触後、更に、第１検知端子２１が金属カバー６０によってカード収容空間２９の底部に向かって変位した場合であっても、ハウジング２０や基板（図示されていない）等で形成されたカード収容空間２９の底部と金属カバー６０との間で第１検知端子２１が突っ張るようにすることによって、第２検知端子２２と金属カバー６０を接触させないようにするものである。更に、金属カバー６０を下方に向けて支える部材が近傍にない場合には、金属カバー６０が塑性変形してしまう危険が生じるが、第１検知端子２２が支えとなることで過度の変形による塑性変形等が防止される。第１検知端子は板バネの板幅方向で力を受けるので大きな力に耐えることができる。
【００２８】
図４と図７を参照して、このような第２検知端子２２と金属カバー６０の接触防止構造を説明する。図７は、図４と同様に、カード用コネクタ１０の背面図を示す図であるが、図４は、金属カバー６０が上方からカード収容空間２９の底部に向かう力を受けていない（通常の）状態を示すのに対して、図７は、金属カバー６０が上方からカード収容空間２９の底部に向かう力（図示矢印「イ」方向の力）を受けて変位したことによって第１検知端子２１が金属カバー６０と接触し、この接触後更に、第１検知端子２１が金属カバー６０によってカード収容空間２９の底部に向かって変位した状態を示す。
【００２９】
金属カバー６０がカード収容空間２９の底部に向かう力を受けて変位した場合であっても、第１検知端子２１が第２検知端子２２よりも先に金属カバー６０と接触して、第２検知端子２２との接触を防止することができるように、金属カバー６０と接触し得る第１検知端子２１の少なくとも一部部位に上方突出部４６が設けてある。上方突出部４６を設けることにより、第１検知端子２１は第２検知端子２２に比べて金属カバー６０により近接した状態とされることから、金属カバー６０の変形時には第１検知端子２１が第２検知端子２２よりも先に金属カバー６０と接触する。更に、金属カバー６０と第１検知端子２１の接触後、更に、第１検知端子２１が金属カバー６０によってカード収容空間２９の底部に向かって変位することもあるため、カード収容空間２９と接触し得る第１検知端子２１の少なくとも一部部位に、カード収容空間２９の底部に向かって突出した下方突出部４７が設けておくのが好ましい。下方突出部４７を設けることにより、第１検知端子２１が金属カバー６０と接触して変形した場合であっても、カード収容空間２９の底部と金属カバー６０との間で第１検知端子２１が突っ張ることになるため、金属カバー６０が第２検知端子２２に接触する前に、金属カバー６０の所定以上の変形が阻止され、第２検知端子２２と金属カバー６０の短絡を効果的に防止できる。尚、上方突出部４６、下方突出部４７は、第１検知端子２１の一部部位だけでなく、それらの全体に亘って設けても良い。
【００３０】
別の態様として、図１、図２、図４に示されているように、上方突出部４６、下方突出部４７を設ける代わりに、或いは、上方突出部４６、下方突出部４７に加えて、第１検知端子２１と接触し得る金属カバー６０の少なくとも一部部位に、カード収容空間２９の底部に向かって突出した部分（下方突出部）６７を設けてもよい。この突出部は打ち出しによって簡単に作ることができる。下方突出部６７を設けることにより、第１検知端子２１は第２検知端子２２に比べて金属カバー６０により近接した状態とされるため、金属カバー６０がカード収容空間２９の底部に向かう力を受けて変位した場合であっても、第１検知端子２１が第２検知端子２２よりも先に金属カバー６０と接触し、第２検知端子２２との接触を防止することができる。
【００３１】
更に、図４に示されているように、上方突出部４６、下方突出部４７、下方突出部６７を設ける代わりに、或いは、これら上方突出部４６、下方突出部４７、下方突出部６７に加えて、金属カバー６０と第１検知端子２１の接触後更に第１検知端子２１が金属カバー６０によってカード収容空間２９の底部に向かって変位したときに、第１検知端子２１と接触し得るように、ハウジング２０、又は、カード用コネクタ１０が載置された基板の少なくとも一部部位に、上方に突出した部分６６を設けてもよい。これにより、第１検知端子２１が金属カバー６０と接触して変形した場合であっても、第１検知端子２１がカード収容空間２９の底部と金属カバー６０との間で突っ張ることによって、金属カバー６０が第２検知端子２２に接触する前に、金属カバー６０の所定以上の変形が阻止され、第２検知端子２２と金属カバー６０の短絡を効果的に防止できる。
【００３２】
最後に、図８に本発明の変形例を示す。この図において、図１等に示した部材と同様の部材には同様の参照番号を付している。この変形例では、カード挿抜口３０対向側のカード挿入方向における金属カバー６０の一部を短くした部分７０を設ける等して、金属カバー６０によって覆われない部分を設けている。この場合、第２検知端子２２が露出してしまうといった欠点はあるが、第２検知端子２２と金属カバー６０との間の絶縁距離を大きく（上下方向では無限大に）することが可能であるし、第１検知端子２１において金属カバー６０の塑性変形を防止することもできる。但し、７０を設ける代わりに、金属カバー６０の対応部分に穴（図示されていない）を設ける等してもよい。
【００３３】
尚、金属カバー６０と第１検知端子２１（請求項中の一方の検知端子）はグランド回路に接続させることができるため、金属カバー６０からバネ片を延出させることにより第１検知端子２１を金属カバー６０の一部として形成することもできる。また、第１検知端子２１と第２検知端子は、必ずしもカード挿抜口３０の対向側に設ける必要はなく、例えば、カード挿入口３０の左右一方又は双方の側にカード挿入方向に沿って設けてもよい。
【図面の簡単な説明】
【００３４】
【図１】本発明によるカード用コネクタ１０の外観斜視図である。
【図２】本発明によるカード用コネクタ１０の分解斜視図である。
【図３】本発明によるカード用コネクタ１０の分解斜視図である。
【図４】本発明によるカード用コネクタ１０の背面図である。
【図５】カード収容空間２９にカード１１が挿入される前のカード用コネクタ１０の内部状態を示す上面図である。
【図６】カード収容空間２９にカード１１が挿入されたときの内部状態を示す上面図である。
【図７】本発明による作用を示す図である。
【図８】本発明の変形例を示す図である。
【符号の説明】
【００３５】
１０  カード用コネクタ
１１  カード
２０  ハウジング（絶縁座）
２１  第１検知端子（グランド端子）
２２  第２検知端子
２３  接触子
２４  接触部
２５  固定部
２６  接触部
２７  対応接触部
２８  上方延長部
２９  カード収容空間
３０  カード挿抜口
３３  係止突部
３４  係止穴
３５  第１アーム
３６  第２アーム
３７  端子配列部
３８  繋ぎ部
４１  固定部
４２  固定部
４６  上方突出部
４７  下方突出部
６０  金属カバー
６２  衝突防止穴
６３  カード押片
６４  圧入突起
６５  係止穴
６６  上方突出部
６７  下方突出部
６８  切り欠き
【図１】
0004766338.tif 000002
【図２】
0004766338.tif 000003
【図３】
0004766338.tif 000004
【図４】
0004766338.tif 000005
【図５】
0004766338.tif 000006
【図６】
0004766338.tif 000007
【図７】
0004766338.tif 000008
【図８】
0004766338.tif 000009